(57)【要約】【課題】  眼鏡フレームに保持された累進レンズで、近用部が欠けているような場合でも、加入度の測定結果を容易に得る。【解決手段】  複数の測定位置の光学特性分布を測定可能な測定光学系を備え、眼鏡フレームに保持された累進レンズの加入度を測定するレンズメータにおいて、測定領域内で得られる光学特性分布に基づいて測定位置が累進レンズの近用部にあるか否かを判定する判定手段と、受光素子による測定光束の受光状態に基づいてレンズ領域外が測定領域に掛かっていることを検出するレンズ領域検出手段と、測定位置が近用部に有ると判定できない場合で、且つレンズ領域外が測定領域に掛かっていることが検出されたときに、その旨を報知又はレンズ領域内で得られた光学特性分布に基づいて加入度を自動算出する制御手段と、を備える。この場合に算出された測定値を、測定位置が近用部に有ると判定された場合に算出される測定値に対して識別可能に表示する。【選択図】      図６
2006126151.tif 000002
【特許請求の範囲】
【請求項１】
所定の測定領域内の光学特性分布を得るための測定光束を形成する測定指標を持ち、被検レンズを透過した測定光束を受光素子で受光して複数の測定位置の光学特性分布を測定可能な測定光学系を備え、眼鏡フレームに保持された累進レンズの加入度を測定するレンズメータにおいて、前記測定領域内で得られる光学特性分布に基づいて測定位置が累進レンズの近用部にあるか否かを判定する近用部判定手段と、前記受光素子による測定光束の受光状態に基づいてレンズ領域外が前記測定領域に掛かっていることを検出するレンズ領域検出手段と、前記近用部判定手段により測定位置が近用部に有ると判定できない場合で、且つ前記レンズ領域検出手段によりレンズ領域外が測定領域に掛かっていることが検出されたときに、その旨を報知又はレンズ領域内で得られた光学特性分布に基づいて加入度を自動算出する制御手段と、を備えることを特徴とするレンズメータ。
【請求項２】
請求項１のレンズメータは測定値読み込み用の信号を入力するためのスイッチを備え、前記制御手段はレンズ領域外が測定領域に掛かっていることを報知後に、前記スイッチからの信号によりレンズ領域内で得られた光学特性分布に基づいて加入度を算出することを特徴とするレンズメータ。
【請求項３】
請求項１又は２のレンズメータにおいて、前記制御手段により算出された測定値を表示する表示手段であって、前記近用部判定手段で測定位置が近用部に有ると判定された場合に算出される測定値に対して識別可能に表示する表示手段を備えることを特徴とするレンズメータ。
【請求項４】
請求項１〜３の何れかのレンズメータにおいて、前記レンズ領域検出手段によりレンズ領域外が測定領域に掛かっていることが検出された場合に、レンズ領域内で得られた光学特性分布に基づいて近用部に対する測定位置の光学的な遠近を検出する遠近検出手段とを備え、前記制御手段は遠近検出手段の検出結果に基づいて加入度の予測値を算出することを特徴とするレンズメータ。
【請求項５】
請求項１〜４の何れかのレンズメータは、さらに前記測定領域内で得られる複数位置の光学特性分布に基づいて測定位置が遠用部にあるか否かを判定する遠用部判定手段を備え、前記制御手段は、前記遠用部判定手段により測定位置が遠用部に有ると判定できない場合で、且つ前記レンズ領域検出手段によりレンズ領域外が測定領域に掛かっていることが検出されたときに、その旨を報知又はレンズ領域内で得られた光学特性分布に基づいて遠用度数を算出すること特徴とするレンズメータ。
【発明の詳細な説明】
【技術分野】
【０００１】
本発明は、被検レンズの光学特性を測定するレンズメータに関する。
【背景技術】
【０００２】
被検レンズを載置するノーズピース内等の測定領域内で、多数の測定位置の光学特性分布を測定可能にしたレンズメータが知られている（特許文献１参照）。このレンズメータによれば、累進レンズの測定時に、多数の測定位置の光学特性分布から、測定位置が近用部にあるかを自動判定可能であり、測定位置が近用部に達していない場合は、矢印等の表示により測定位置を近用部に導くように誘導表示することで、累進レンズの加入度を迅速に測定できる。加入度は、遠用部と近用部の球面度数（あるいは等価球面）の差として演算される。
【特許文献１】特開２０００−７５２９６号公報
【発明の開示】
【発明が解決しようとする課題】
【０００３】
ところで、最近は眼鏡フレームの縦方向の幅が狭い、いわゆる「カニ目」フレーム（リムにレンズを勘合させるものに限らす、いわゆるツーポイントフレーム等も含む）が多くなってきている。この「カニ目」フレームに累進レンズを使用すると、フレームに保持される累進レンズの近用部の一部か欠けたり、近用部がフレーム内に残ら無いものがある。この場合、近用部の自動判定が有効に行えず、誘導表示はさらにレンズを下方（眼鏡装用時の下方をいう）に移動することを要求し、眼鏡フレームがノーズピースに掛かってしまい、測定エラーとなってしまう問題があった。また、遠用部と近用部を同時測定可能なものにおいても、眼鏡フレームの縦方向の幅が狭いことで近用部が欠けている場合は同種の問題がある。
【０００４】
本発明は、上記従来装置の問題点に鑑み、眼鏡フレームに保持された累進レンズで、近用部が欠けているような場合でも、加入度の測定結果を容易に得ることができるレンズメータを提供することを技術課題とする。
【課題を解決するための手段】
【０００５】
本発明は、上記課題を解決するために、次のような構成を備えることを特徴とする。
【０００６】
（１）  所定の測定領域内の光学特性分布を得るための測定光束を形成する測定指標を持ち、被検レンズを透過した測定光束を受光素子で受光して複数の測定位置の光学特性分布を測定可能な測定光学系を備え、眼鏡フレームに保持された累進レンズの加入度を測定するレンズメータにおいて、前記測定領域内で得られる光学特性分布に基づいて測定位置が累進レンズの近用部にあるか否かを判定する近用部判定手段と、前記受光素子による測定光束の受光状態に基づいてレンズ領域外が前記測定領域に掛かっていることを検出するレンズ領域検出手段と、前記近用部判定手段により測定位置が近用部に有ると判定できない場合で、且つ前記レンズ領域検出手段によりレンズ領域外が測定領域に掛かっていることが検出されたときに、その旨を報知又はレンズ領域内で得られた光学特性分布に基づいて加入度を自動算出する制御手段と、を備えることを特徴とする。
（２）  （１）のレンズメータは測定値読み込み用の信号を入力するためのスイッチを備え、前記制御手段はレンズ領域外が測定領域に掛かっていることを報知後に、前記スイッチからの信号によりレンズ領域内で得られた光学特性分布に基づいて加入度を算出することを特徴とする。
（３）  （１）又は（２）のレンズメータにおいて、前記制御手段により算出された測定値を表示する表示手段であって、前記近用部判定手段で測定位置が近用部に有ると判定された場合に算出される測定値に対して識別可能に表示する表示手段を備えることを特徴とする。
（４）  （１）〜（３）の何れかのレンズメータにおいて、前記レンズ領域検出手段によりレンズ領域外が測定領域に掛かっていることが検出された場合に、レンズ領域内で得られた光学特性分布に基づいて近用部に対する測定位置の光学的な遠近を検出する遠近検出手段とを備え、前記制御手段は遠近検出手段の検出結果に基づいて加入度の予測値を算出することを特徴とする。
（５）  （１）〜（４）の何れかのレンズメータは、さらに前記測定領域内で得られる複数位置の光学特性分布に基づいて測定位置が遠用部にあるか否かを判定する遠用部判定手段を備え、前記制御手段は、前記遠用部判定手段により測定位置が遠用部に有ると判定できない場合で、且つ前記レンズ領域検出手段によりレンズ領域外が測定領域に掛かっていることが検出されたときに、その旨を報知又はレンズ領域内で得られた光学特性分布に基づいて遠用度数を算出すること特徴とする。
【発明の効果】
【０００７】
本発明によれば、眼鏡フレームに保持された累進レンズの近用部が欠落（一部又は全てが欠落）している場合でも、加入度の測定結果を容易に得ることができる。
【発明を実施するための最良の形態】
【０００８】
本発明の実施の形態を図面に基いて説明する。図１は実施形態のレンズメータ装置の外観略図である。
【０００９】
１はレンズメータ本体である。２はＬＣＤ等で構成されたディスプレイであり、測定結果やアライメント用のターゲット等の測定に必要な情報が表示される。３は入力用のスイッチ部であり、ディスプレイ２上に表示されるスイッチ表示に対応したものを押すことにより、測定モードの切換え等の必要な入力指示を行うことができる。４は被検レンズＬＥが載置されるレンズ載置部材としてのノーズピースである。５はレンズ押えであり、これを下に降ろすことでノーズピース４上に載せられたレンズＬＥを安定して保持することができる。
【００１０】
６は前後方向に移動可能なレンズ当てであり、眼鏡フレームに保持されたレンズＬＥの測定において、左右フレームの下端（本明細書では、眼鏡フレームやレンズの上下とは眼鏡を装用した状態での上下を意味するものとして使用する）に当接させて安定させることにより、乱視軸角度測定を正確に行うことができる。７は印点機構である。８はレンズＬＥの光学特性データの読み込み信号を入力するＲＥＡＤスイッチである。スイッチ８を押すことにより、測定値がディスプレイ２にホールド表示されると共に、装置内部のメモリに記憶される。９は装置に電源を投入する電源スイッチである。
【００１１】
図２は光学系と制御系の概略構成図である。１０は測定光学系であり、Ｌ１はその測定光軸である。測定光学系１０は、ＬＥＤ等の測定光源１１、コリメーティングレンズ１２、ミラー１３、測定領域内の光学特性分布を得るための測定光束を形成する測定指標板であるグリッド板１４、ＣＣＤ等の２次元受光素子１５を備える。グリッド板１４は本体１の保持部材１６に保持され、グリッド板１４の上にノーズピース４の開口４ａが位置する。その開口４ａは、直径８ｍｍの円形である。グリッド板１４の配置位置は、被検レンズＬＥの後側（受光素子１５側）に限らず、被検レンズＬＥの前側（測定光源側）であっても良い。
【００１２】
図３は、グリッド板１４に形成された測定用の指標パターンを示す図である。グリッド板１４の外径はノーズピース４の開口４ａの内径よりやや大きく形成されている。グリッド板１４の後面（受光素子１５側の面）には、多数の円形孔からなる測定指標２０が形成されている。本実施形態における測定指標２０は、測定光軸Ｌ１が通る中心位置に形成された直径０．４ｍｍの中心孔２１と、その回りに格子状に配置された直径φ０．２ｍｍの多数の小孔２２からなる。小孔２２は０．５ｍｍピッチで格子状に分布されている。測定指標２０は、孔２１及び孔２２を白抜きした黒Ｃｒコートをグリッド板１４の後面に施すことにより形成することができる。中心孔２１は、他の孔２１の対応関係を特定するための基準指標、すなわち、レンズＬＥ無しの状態の「０Ｄ基準」に対して、レンズＬＥが置かれたときに対応する各ドット像を特定するための基準指標として使用される。基準指標しては、他の測定指標と区別できれば、グリッド板１４の中心に限らず、他の場所にあたっても良いし、その個数や形状も限定されない。
【００１３】
測定光源１１からの光束は、コリメーティングレンズ１２により平行光束とされた後、ミラー１３により反射され、ノーズピース４上に載置されるレンズＬＥに投光される。レンズＬＥを透過した光の内、グリッド板１４の孔２１及び孔２２を通過した光束が受光素子１５に入射する。
【００１４】
受光素子１５からの出力信号は制御部４０に入力される。制御部４０は、レンズＬＥが置かれていない場合に受光素子１５に入射した各孔２１及び２２のドット像の座標位置を基準にし、屈折力を持つレンズＬＥを置いた場合の各ドット像の位置変化から、レンズＬＥの光学特性（球面度数Ｓ、柱面度数Ｃ、乱視軸角度Ａ、プリズム量Δ）を演算する。例えば、球面度数のみを持つレンズＬＥが置かれた場合は、レンズＬＥが無い場合に対して、各ドット像はレンズＬＥの光学中心から円形状に等距離に拡大、縮小する。この拡大又は縮小量に基づいて球面度数Ｓが求められる。また、柱面度数Ｃのみを持つレンズＬＥが置かれた場合は、レンズＬＥが無い場合に対して、各ドット像はレンズＬＥの軸中心から楕円状に拡大又は縮小する。この拡大又は縮小量に基づいて柱面度数Ｃ、乱視軸角度Ａが求められる。また、プリズム量Δは、レンズＬＥの中心ドット像又はその付近のドット像の平行移動量によって求められる。球面度数、柱面度数及びプリズムを持つレンズはこれらの複合と考えれば良い（特開昭５０−１４５２４９を参照）。
【００１５】
ここで、レンズＬＥの光学特性は、隣接する４つ（少なくとも３つ）のドット像を１組として演算する他、３×３点，４×４点，または５×５点等のドット像を１組とし、各ドット像の平均変化から光学特性を算出しても良い。その場合の測定位置は１組のドット像範囲の中心位置、あるいは特定のドット像位置として決めておく。隣りの場所の測定位置は、１ドット分ずらして演算することにより、測定位置の分解能を落とさずに測定できる。本実施形態では、３×３点のドットを１組とし、１ドット分ずらして多数の測定位置での光学特性を測定する。ノーズピース４の開口４ａ内では、７ｍｍほどの範囲が測定可能である。３×３点以上のドットを１組として演算する場合は、ゴミ等により一部のドット像が検出できなくても、その測定位置の演算が可能である。従って、ノーズピースの開口４ａ内にて複数の測定位置の情報が一度に得られ、ノーズピース開口４ａ内における光学特性分布が得られる。このため、累進レンズにおいては、現在の測定位置が遠用部にあるか否か、同様に現在の測定位置が近用部にあるか否か、あるいは累進帯にあるか否か等のアライメント状態が、効率良く検出できる。なお、以下の説明における測定位置とは、複数の測定位置の内で測定光軸Ｌ１中心を意味するものとして使用する。
【００１６】
制御部４０はアライメント状態の検出結果を基に、ディスプレイ２のアライメント画面の表示を制御する。また、制御部４０は受光素子１５の出力に基づき屈折度数分布を所定の時間間隔毎に連続的に得る。
【００１７】
次に、以上のような構成を備えるレンズメータにおいて、眼鏡フレームに保持された累進レンズの測定動作を説明する。
スイッチ部３のスイッチにより、累進レンズの測定モード（加入度測定モード）を選択する。累進レンズの測定モードに設定されると、ディスプレイ２のアライメント画面２ａには、図４（ａ）のように累進レンズをイメージさせる累進帯のグラフィックを持つレンズマーク１００と、現在の測定位置を示す十字線ターゲット１０１が表示される。累進レンズの近用部は遠用部に対して２ｍｍほど内寄せ側（鼻側）に位置するので、右眼用レンズが指定された場合、レンズマーク１００上の累進帯グラフィックは、やや左側に傾斜したグラフィックとして表示される。ターゲット１０１における測定位置は、十字線の交点位置として示される。本実施形態では、レンズマーク１００は、レンズＬＥの移動によるアライメント状態の変化にともなって移動して表示される。一方、ターゲット１０１は画面２ａの中央に固定して表示される。レンズマーク１００は生地レンズを想定して円形で描かれているが、眼鏡フレームをイメージそた形状であっても良い。なお、本装置では、ディスプレイ２の表示画面の上方向が装置の奥側に相当し、画面下方向が装置の手前側に相当する関係にある。
【００１８】
ノーズピース４上にレンズＬＥが載せられると、ノーズピース開口４ａ内で測定される光学特性分布から、測定光軸中心の測定位置がレンズＬＥのどの辺りにあるか（測定光軸Ｌ１に対する大まかなアライメント状態が）、制御部４０により判定される。すなわち、ノーズピース開口内の７ｍｍほどの領域内で一度に測定される光学特性分布により、レンズＬＥの上下方向にＳＥ値や球面度数Ｓの変化があれば、測定光軸中心の測定位置がレンズ中央位置付近（累進帯中央部）にあると判定される。レンズＬＥの上下左右方向に加入度数や柱面度数Ｃの変化がなく、水平プリズム量が略０であれば、測定位置が遠用部付近にあると判定される。レンズＬＥの左右方向に柱面度数Ｃの勾配があれば、測定位置が累進帯の左右位置付近であると判定される。
【００１９】
図４（ｂ）は、レンズＬＥがノーズピース４に載せられた時に、測定位置がレンズ中央位置と判定された時の表示画面である。レンズＬＥがノーズピース４に載せられたと判定されると、始めに測定位置を遠用部に導くステップとして、アライメントの移動目標となる円形の遠用部マーク１１０が、累進帯グラフィックの表示との相関を取るように、レンズマーク１００中の遠用部位置に相当する部分に表示される。この時、制御部４０はＳＥ値又は球面度数Ｓ、及びプリズム量の分布情報をメモリ４２に記憶しておく。図４（ｂ）の表示状態で、遠用部マーク１１０をターゲット１０１に寄せるべく、検者がレンズＬＥを装置奥側に移動させると、中央に固定表示されたターゲット１０１に対してレンズマーク１００と遠用部マーク１１０とが画面上の上側に移動（表示位置が変化）するように表示される（図４（ｃ）参照）。レンズＬＥの移動があると、プリズム量と光学特性の数値が変化するので、制御部４０はプレンティスの式［偏心量（ｍｍ）＝（プリスム量／度数）×１０］に基づき、始めに記憶した測定位置からの移動距離を算出する。そして、算出された移動距離に基づいて随時レンズマーク１００及び遠用部マーク１１０と一体的に移動させる（表示位置を変化させる）。
【００２０】
検者はレンズＬＥの遠用部を測定光軸にアライメントすべく、さらに遠用部マーク１１０がターゲット１０１の枠内に入るようレンズを移動させていく。制御部４０は、測定光軸中心で得られるＳＥ値又は球面度数Ｓの変化から加入度数のほぼ無くなった領域に入ると、測定位置が遠用部にあると判定し、図４（ｄ）のように、ターゲット１０１の位置に遠用部マーク１１０に代えて大十字マーク１１５を表示する。これにより、検者に遠用部のアライメント完了の旨が報知され、同時に、遠用部の測定値（球面度数、乱視度数、乱視軸角度）がメモリ４２に記憶される。あるいは、ＲＥＡＤスイッチ８が押されることにより、遠用部の測定値がメモリ４２に記憶される。
【００２１】
また、図４（ｅ）は、遠用部のアライメントにおいて、左右方向にアライメントがずれている場合の表示例である。遠用部付近における左右方向のずれは、ノーズピース開口４ａ内の光学特性分布における水平方向のプリズム量の変化に基づいて判定する。この場合、遠用部マーク１１０をターゲット１０１に合わせるべく、レンズＬＥを右側に移動させれば良い。
【００２２】
遠用部の測定値がメモリ４２に記憶されると、近用部の測定ステップに移る。アライメント画面２ａには、図５（ａ）に示すように、遠用部のアライメント完了を示した大十字マーク１１５は消去され、新たな円形の近用部マーク１２０が、累進帯グラフィックの表示と相関を取るように、レンズマーク１００の近用部に相当する場所に表示される。今度は、加入度を測定すべく、近用部マーク１２０の中心がターゲット１０１に向かうようにレンズＬＥを装置手前側に移動させていく。この時、制御部４０は、メモリ４２に記憶された遠用部におけるプリズム量と光学特性を基づいて、遠用部からの移動距離を算出する。そして、算出された移動距離に基づいて近用部マーク１２０及びレンズマーク１００がターゲット１０１に向かうように移動表示する（表示位置を変化させる）。
【００２３】
図５（ｂ）は、近用部への移動中に測定位置が累進帯から右方向に外れた場合の表示例である。この場合、レンズＬＥを右方向に移動させて累進帯のグラフィック内にターゲット１０１を戻す。左右方向のずれは、先に記憶した遠用部の乱視度数Ｃと現在測定されている乱視度数Ｃとの差の絶対値を光学歪量とし、測定光軸を中心とした左右方向の位置で検出される光学歪量の大きさで判定できる。
【００２４】
近用部マーク１２０の中心がターゲット１０１に向かうようにレンズＬＥを移動させることにより、例えば、測定光軸を中心として上下方向の少なくとも３箇所の測定位置（ここでは、測定位置は３×３点のドット像を１組としている）で検出される加入度（あるいはＳＥ値）が所定の許容条件を満たし、かつ測定光軸を中心として左右方向の少なくとも３箇所の測定位置で検出される光学歪量が所定の許容条件（近用部検出の判定条件）を満たせば、測定位置が近用部に達したと判定される。
【００２５】
測定位置が近用部に達したと判定されると、図５（ｃ）のように、近用部マーク１２０が大十字１２５へと変えられ、これがターゲット１０１内に入った位置に表示される。これにより、検者は近用部へのアライメント完了を知ることができる。検者がＲＥＡＤスイッチ８を押すことにより、近用部の測定値がメモリ４２に記憶される（アライメント完了と共に、自動的に近用測定値がメモリ４２に記憶されるようにしてもよい）。近用部の測定値が得られれば、遠用部と近用部の球面度数Ｓの差が加入度（Ａｄ）として、測定結果欄に表示される。
【００２６】
ここで、眼鏡枠の上下幅がある程度広く、少なくとも近用部を示すレンズマークの大きさ（５〜７ｍｍ）程度の近用部がフレーム内に残っていれば、上記の判定条件により近用部の判定が可能である。しかし、カニ目フレームのように、眼鏡フレームの上下幅が狭く、近用部の半部以上が欠けている累進レンズでは、上記の判定条件を満たさず、正確に近用部に達していると判定することが困難である。この場合、装置はレンズをより下方へ移動すること誘導表示するため、何時の間にかノーズピース４に眼鏡フレームやレンズのエッジが掛かってしまうことになる。そして、例えば、中心孔２１のドット像を中心にして３×３＝９個のドット像が検出できないと、測定光軸を中心とした測定結果が得られなく。この場合、従来なら「測定エラー」とするが、近用部の情報が得られないのは都合が悪い。そこで、本装置では「測定エラー」とせず、次のように以後の処理がなされる。
【００２７】
上記の近用部の判定条件を満たさないまま、ノーズピース４に眼鏡フレームが掛かると、その位置の測定光束が遮光されるようになり、受光素子１５で受光されるグリッド板１４のドット像も欠けるようになる。図６は、ノーズピース４内の測定領域に眼鏡フレームが掛かることにより、受光素子１５で受光されるドット像が欠けた例を示す図である。本実施形態のグリッド板１４に設けられた小孔２２の配置パターンでは、眼鏡フレームのリム幅からすると、ドット像の横列の全てが欠落したパターンが数段連続して現れる。図６の例では、斜線部２００が眼鏡フレームにより測定光束が遮光される部分を示し、この部分のドット像２０Ｐが横列で連続して３段以上程欠けている。このようにドット像２０Ｐの分布が横列で連続して検出できないときは、眼鏡フレームにより測定光束のケラレがあることが分かるので、レンズ領域外（レンズの無い領域）が測定領域に掛かっていることを検出できる。
【００２８】
図６において、ドット像の欠けた部分より上方はレンズ端近くの度数分布が得られ、下方はレンズが無いので概略０Ｄの度数が得られる。近用部が検出できず、且つレンズ領域外が測定領域に掛かっていることが検出されると、制御部４０はその旨をディスプレイ２に表示して検者に知らせる。例えば、図７に示すように、近用部マーク１２０の円マーク内の上半分を黒塗り表示する等、予め約束されたマークを表示することで、レンズ領域外（眼鏡フレーム又はレンズエッジ）が測定領域に掛かっていることを検者に報知する。
【００２９】
この時点で、検者がＲＥＡＤスイッチ８を押すことにより、制御部４０はレンズ領域内の測定領域で検出できた残りのドット像（図６におけるレンズ上方側のドット像）から度数分布を求め、近用部の測定結果としてメモリ４２に記憶する。近用部の一部が欠落しているような眼鏡では、レンズ下端近くの度数は、実用的にほぼ近用部の度数とみなすことができる。あるいは、検者がＲＥＡＤスイッチ８を押さなくても、近用部マーク１２０の表示を図７のように変化させると共に、自動的に近用部としてみなした測定結果をメモリ４２に記憶する（オートリード機能）ようにしても良い。なお、制御部４０は受光素子１５の出力から一定間隔毎に連続して測定値を得ているので、眼鏡フレームの検出時に、測定可能な領域が残っていない場合は、それまでに正常に測定できた最後の測定値を近用部の測定結果としても良い。
【００３０】
測定値表示欄１３０には、近用部の測定結果から求められた加入度Ａｄが表示される。ここで、この状態（眼鏡フレームが検出された状態）で測定したときには、通常に近用部が判定できた通常値と識別可能にするために、加入度Ａｄの後に「＊」印１３１等の識別表示が付加される。
【００３１】
なお、眼鏡フレームとしては、下半分程がリムでなく、レンズ周縁に溝を形成してナイロールでレンズを保持させるものがある。この場合も、レンズ端では測定光束のケラレが発生するので、受光素子１５で受光されるドット像が横方向に連続的に欠けるようになる。また、眼鏡フレームとしては、いわゆるツーポイントフレームと呼ばれるもので、フレームのリムが無いものがる。この場合でも、レンズの端は面取りが通常施されるので、やはりレンズ端では測定光束のケラレがあるので、受光素子１５で受光されるドット像が横方向に連続的に欠ける部分が現れる。連続的に生じるドット像の欠け状態（測定光束の受光状態）により、レンズ領域外が測定領域に入っていることを検出できる。
【００３２】
ところで、累進レンズの近用部の配置にはさまざまなものがあり、カニ目フレームでは近用部が収まらず、眼鏡フレーム（レンズ端）の下端付近に必要な加入度が来るように、大きめの加入度を持つ累進レンズを使用したものがある。例えば、必要な加入度が２．０Ｄに対して、２．５Ｄの加入度を持つ累進レンズを使用し、カニ目フレームに入れたときに丁度フレーム下端に２．０Ｄが残るようにした場合である。このようなカニ目フレームに保持された累進レンズを測定した場合、実際に装用者が近用部として使用する加入度は２．０Ｄとなる。このため、実用的にはレンズ下端近くの加入度を測定値として採用する方法もある。
【００３３】
また、本実施形態のレンズメータにおいては、測定光軸を中心として上下方向の同数分布を測定可能であるので、近用部の判定条件を満たさないまま測定領域に眼鏡フレーム等のレンズ領域外が掛かっていることが検出された場合、さらに、近用部に対する測定位置の光学的な遠近（近づき度合い）を検出し、その遠近に応じて近用部が欠けている累進レンズの近用度数を予測することも可能である。近用部に対する測定位置の光学的な遠近は、眼鏡フレームよりレンズ上方側の上下方向の測定位置で検出される加入度数の最大値と最小値の差から、単位距離当たりの勾配ΔＳを求めることにより検出できる。すなわち、ΔＳが所定値Ｓ１（所定値Ｓ１は、種々の累進レンズを測定した結果から予め定めておく）より小さければ（ただし、前述の近用部の判定条件を満たさない値）、制御部４０は測定位置がほぼ近用部に近い位置にあると判定する。この場合、得られた加入度の最大値をそのまま加入度Ａｄとして予測結果を算出する。ΔＳが所定値Ｓ１よりやや大きければ、測定位置が近用部からやや遠い位置にあるとし、得られた加入度の最大値＋０．１２Ｄとして予測の加入度Ａｄを算出する。さらにΔＳが大きければ、得られた加入度の最大値＋０．２５Ｄとして予測の加入度Ａｄを算出する。眼鏡レンズの度数ステップは、通常、０．２５Ｄ（又はその半分）であるので、予測値としてはこの度数ステップで丸めても良い。予測した算出結果の加入度Ａｄを測定値表示欄１３０に表示する場合、やはり近用部が判定できた通常値に対して識別可能にするために、「※」マーク等の識別表示を付加する。このように近用部が欠けている場合でも、目安となる加入度を得ることができる。
【００３４】
以上は近用部の測定について説明したが、同様の検出及び処理を遠用部の測定時にも適用可能である。すなわち、累進レンズの中には、遠用部においても加入度数が変化し続けるものがある。この場合、レンズを移動しても遠用部の判定条件が満たされず、ノーズピース４内の測定領域に眼鏡フレームやレンズエッジが掛かることにより測定光束が遮光され、受光素子１５で受光されるドット像も欠けるようになる。上記と同じように、ドット像の検出結果からレンズ領域外が測定領域に入ったことが検出されたきは、図４で示した遠用部マーク１１０の表示形態を変化させ、その検出結果を検者に知らせる。また、ＲＥＡＤスイッチ８が押されることにより（あるいはオートリード機能により）にレンズ領域内で得られた測定値がメモリ４２に記憶さる。このとき、測定値表示欄１３０に表示される遠用測定値Ｓの後に、「＊」印等の識別マークを表示し、通常の測定値に対して識別可能にする。
【００３５】
また、以上ではノーズピース４内に限られた測定領域の光学特性分布を測定する測定光学系としたが、ノーズピース４より広い測定領域で遠用部から近用部に渡っての光学特性分布を同時に測定可能な測定光学系を持つ装置においても、本発明を適用することは可能である。
【図面の簡単な説明】
【００３６】
【図１】レンズメータ装置の外観略図である。
【図２】光学系と制御系の概略構成図である。
【図３】測定用の指標パターンを示す図である。
【図４】累進レンズの遠用部をアライメントするときのアライメント画面を示す図である。
【図５】累進レンズの近用部をアライメントするときのアライメント画面を示す図である。
【図６】測定領域に眼鏡フレームが掛かることにより、受光素子で受光されるドット像が欠けた例を示す図である。
【図７】レンズ領域外が測定領域に掛かっていることが検出されたときの表示例である。
【符号の説明】
【００３７】
２  ディスプレイ
２ａ  アライメント画面
４  ノーズピース
８  ＲＥＡＤスイッチ
１０  測定光学系
１４  グリッド板
１５  受光素子
４０  制御部
４２  メモリ
１１０  遠用部マーク
１２０  近用部マーク
１３０  測定値表示欄
１３１  「＊」印
【図１】
2006126151.tif 000003
【図２】
2006126151.tif 000004
【図３】
2006126151.tif 000005
【図４】
2006126151.tif 000006
【図５】
2006126151.tif 000007
【図６】
2006126151.tif 000008
【図７】
2006126151.tif 000009